(57)【要約】【課題】本発明は魚釣用スピニングリールに関し、リール全体の大型化を防止しつつ、スプール軸に取り付く摺動子自体の強度を確保し、併せて両者間の取付け強度の向上を図った魚釣用スピニングリールを提供することを目的とする。【解決手段】リール本体の支持部に、先端側にスプールを装着したスプール軸を支持部材を介してリール本体の前後方向へ往復動自在に支持し、ハンドルの回転をスプールの前後方向への往復動に変換するスプール往復動装置の摺動子を上記スプール軸の後端部に固着した魚釣用スピニングリールに於て、上記摺動子のスプール側端部に、スプール軸に沿ってその軸方向へ突出し、当該摺動子の往復動時に上記支持部材内に挿脱可能な補強部を設けたことを特徴とする。【選択図】      図２
2004283099.tif 000002
【特許請求の範囲】
【請求項１】
リール本体の支持部に、先端側にスプールを装着したスプール軸を支持部材を介してリール本体の前後方向へ往復動自在に支持し、
ハンドルの回転をスプールの前後方向への往復動に変換するスプール往復動装置の摺動子を上記スプール軸の後端部に固着した魚釣用スピニングリールに於て、
上記摺動子のスプール側端部に、スプール軸に沿ってその軸方向へ突出し、当該摺動子の往復動時に上記支持部材内に挿脱可能な補強部を設けたことを特徴とする魚釣用スピニングリール。
【請求項２】
支持部材は、先端にスプールが取り付くスプール軸をリール本体の支持部に支持する滑り軸受、先端にロータが取り付き、その軸方向に沿ってスプール軸が挿通するフライヤ軸後端のピニオン、または当該フライヤ軸をリール本体の支持部に回転可能に支持するボールベアリングの少なくともいずれか一つであることを特徴とする請求項１記載の魚釣用スピニングリール。
【発明の詳細な説明】
【０００１】
【発明の属する技術分野】
本発明は、リール本体に装着したハンドルの回転操作運動をスプールの前後往復動に変換するスプール往復動装置を備えた魚釣用スピニングリールに関する。
【０００２】
【従来の技術】
従来周知のように、魚釣用スピニングリール（以下、「スピニングリール」という）は、ロータに設けた一対の支持アームの先端に半環状のベールがベール支持部材を介して釣糸巻取り位置と釣糸放出位置へ、夫々、反転自在に取り付けられている。
【０００３】
そして、ベールを釣糸放出位置へ倒して仕掛けをキャスティングすると、スプールに巻回された釣糸がスパイラル状に繰り出され、また、ベールを釣糸巻取り位置へ反転させてハンドルを巻取り操作すると、ロータが釣糸巻取り方向へ回転し、このロータの回転に連動してリール本体の前後方向へ往復動するスプールに釣糸が巻き取られるようになっている。
【０００４】
ところで、ハンドルの回転操作運動をスプールの前後往復動に変換するスプール往復動装置として、従来、オシレート機構が知られている（例えば、下記の特許文献１参照。）。
図１６に示すようにこのオシレート機構１は、ハンドル軸３に取り付く連結ギヤ５に噛合するアイドルギヤ７に、突起９が形成された従動ピン１１を保持すると共に、当該突起９が係合するオシレート溝１３を設けた摺動子（オシレートスライダー）１５をスプール軸１７の非円形後部１８にネジ１９で固着したもので、オシレート溝１３はスプール軸１７に直交して上下方向に設けられ、スプール軸１７の先端にスプールが固着されている。
【０００５】
また、図中、２１はロータの後部に突設されたピニオンで、当該ピニオン２１に、スプール軸１７がリール本体２３の前後方向へ往復動可能に挿入されている。
そして、上記ピニオン２１に、ハンドル軸３に固着したドライブギヤ２５が噛合しており、釣糸の巻取時に、ハンドルの操作でドライブギヤ２５，ピニオン２１を介してロータを釣糸巻取り方向へ回転させると、上記アイドルギヤ７が回転して突起９が円軌道を描き、これに伴い摺動子１５がオシレート溝１３に沿ってスプール軸１７を前後方向へ移動させて、スプールを同方向へ往復動させるようになっている。
【０００６】
【特許文献１】
特開平９−１９１８０１号公報（段落番号「００１２」〜「００１４」、図１）
【０００７】
【発明が解決しようとする課題】
しかし、リール本体２３内を前後方向に往復動する摺動子１５のストローク量を確保するうえで、従来、スプール軸１７の非円形後部１８が挿入される摺動子１５の回止め固定部２７は軸方向に小さく形成され、特に当該回止め固定部２７のスプール側縁部２９とネジ１９との間の肉厚ｍは薄肉とされているのが実情であった。
【０００８】
このため、摺動子１５とスプール軸１７との一体化を図るためにネジ１９を締め付けると、その締付力によって薄肉なスプール側縁部２５が割れたり変形してしまう虞があり、強度的な課題が残されていた。
また、スプール軸１７の軸方向に沿って上記スプール側縁部２５に肉を付けて強度アップを図ると、前後ストロークの関係上、その分、リール本体２３が軸方向に大型化してしまう不具合が指摘されている。
【０００９】
本発明は斯かる実情に鑑み案出されたもので、リール全体の大型化を防止しつつ、スプール軸に取り付く摺動子自体の強度を確保し、併せて両者間の取付け強度の向上を図ったスピニングリールを提供することを目的とする。
【００１０】
【課題を解決するための手段】
斯かる目的を達成するため、請求項１に係る発明は、リール本体の支持部に、先端側にスプールを装着したスプール軸を支持部材を介してリール本体の前後方向へ往復動自在に支持し、ハンドルの回転をスプールの前後方向への往復動に変換するスプール往復動装置の摺動子を上記スプール軸の後端部に固着したスピニングリールに於て、上記摺動子のスプール側端部に、スプール軸に沿ってその軸方向へ突出し、当該摺動子の往復動時に上記支持部材内に挿脱可能な補強部を設けたことを特徴とする。
【００１１】
そして、請求項２に係る発明は、請求項１記載のスピニングリールに於て、支持部材は、先端にスプールが取り付くスプール軸をリール本体の支持部に支持する滑り軸受、先端にロータが取り付き、その軸方向に沿ってスプール軸が挿通するフライヤ軸後端のピニオン、または当該フライヤ軸をリール本体の支持部に回転可能に支持するボールベアリングの少なくともいずれか一つであることを特徴とする。
【００１２】
（作用）
請求項１，２に係る発明によれば、スプール往復動装置がハンドルの回転をスプールの前後方向への往復動に変換するが、摺動子の往復動に伴い、摺動子に設けた補強部が支持部材内に挿脱して摺動子の往復動に支障を来すことがない。
そして、摺動子をスプール軸にネジ止めしたスピニングリールにあっては、摺動子に設けた補強部が、摺動子のスプール側端部とネジとの間に大きな肉厚を確保して当該部位の強度を確保すると共に、摺動子とスプール軸との接合寸法を広げて両者間の取付け強度を向上させる。
【００１３】
一方、ネジ止めによらずにスプール軸と摺動子との一体化を図るその他の構造のスピニングリールにあっては、補強部を設けたことで、摺動子の回止め固定部とスプール軸との接合寸法が広がって両者間の取付け強度が向上することとなる。
【００１４】
【発明の実施の形態】
以下、本発明の実施形態を図面に基づいて詳細に説明する。
【００１５】
図１乃至図７は請求項１及び請求項２に係るスピニングリールの第一実施形態を示し、図１に於て、３１は軸受（支持部材）３３，３５を介してリール本体３７の支持部３７ａ，３７ｂに回転可能に支持された中空なフライヤ軸（支持部材）で、その先端にロータ３９がナット４１で締付け固定されている。そして、フライヤ軸３１の後端に形成されたピニオン４３に、ハンドル４５のハンドル軸４７に固着した駆動歯車４９が噛合しており、ハンドル４５を巻取り操作すると、その駆動力が駆動歯車４９，ピニオン４３からフライヤ軸３１に伝達されて、ロータ３９が釣糸巻取り方向に回転するようになっている。
【００１６】
そして、ロータ３９の基部には、一対の支持アーム５１がリール本体３７の前方へ一体に延設されており、両支持アーム５１の先端に、半環状のベール５３がラインローラ５５を装着したベールアーム５７と図示しないベールホルダーを介して釣糸巻取位置と釣糸放出位置へ反転自在に取り付けられている。
【００１７】
また、図中、５９はフライヤ軸３１を挿通してリール本体３７に取り付くスプール軸で、そのロータ３９側突出端に、図示しないドラグ機構を介してスプール６１が回転可能に取り付けられている。
更にまた、図１に示すようにスプール軸５９は、前記ナット４１内に装着された軸受６２によってその先端側が支持されると共に、図２に示すようにフライヤ軸３１から突出するその後端側が、前記支持部３７ｂに装着した樹脂カラー（支持部材）６３によってリール本体３７に支持されており、スプール軸５９の非円形後部６５に摺動子（オシレートスライダー）６７がネジ６９で固着されている。
【００１８】
そして、摺動子６７に設けたオシレート溝７１に、リール本体３７側に軸着されたアイドルギヤ７３の突起７５が係合してオシレート機構７７が構成されており、アイドルギヤ７３はハンドル軸４７に取り付く連結ギヤ７９に噛合している。そして、ハンドル４５の操作でロータ３９を釣糸巻取り方向に回転させると、ハンドル軸４７，連結ギヤ７９を介してアイドルギヤ７３が回転して突起７５が円軌道を描き、これに伴い摺動子６７がオシレート溝７１に沿ってスプール軸５９を前後方向へ移動させて、スプール６１を同方向へ往復動させるようになっている。
【００１９】
而して、本実施形態は、上述の如き従来と同様の構成に加え、リール本体３７の大型化を防止しつつ、スプール軸５９に取り付く摺動子６７自体の強度を確保し、併せて両者間の取付け強度の向上を図るため、図２及び図３に示すように摺動子６７のスプール側端部８１に、スプール軸５９に沿ってその軸方向へ突出し、当該摺動子６７の往復動時に上記樹脂カラー６３内に挿脱可能な断面非円形状の補強部８３を設けたもので、図３に示すように補強部８３は、スプール軸５９の非円形後部６５に当接して、これと共にスプール軸５９と同一の断面円形形状を形成している。
【００２０】
このように摺動子６７のスプール側端部８１に補強部８３を突設したことで、図２に示すように摺動子６７自身の軸方向の肉厚（大きさ）Ｌを従来の摺動子と同一寸法とし乍ら、図１６の従来構造に比し補強部８３の端部とネジ６９との間に大きな肉厚Ｍを確保し、併せてスプール軸５９の非円形後部６５が挿入される摺動子６７の回止め固定部８５と当該スプール軸５９との接合寸法Ｎを広げて、両者間の取付け強度の向上が図られている。
【００２１】
また、スプール６１を前後方向へ往復動させる摺動子６７のガタ付きを防止して円滑な釣糸の巻取り操作を図るため、図１，図４及び図５に示すように、従来、摺動子６７の底部に、リール本体３７の底部方向に左右２つの突軸８７，８９が前後に突設されたガイド部９１が一体に設けられており、両突軸８７，８９の外周に、夫々、ボールベアリング９３，９５が装着されている。
【００２２】
そして、前側の突軸８７に装着されたボールベアリング９３の外輪９７が、スプール軸５９に沿ってリール本体３７の底部側に設けられた帯状の案内部９９に当接し、また、後側の突軸８９に装着されたボールベアリング９５の外輪１０１が、上記案内部９９に対向してリール本体３７に取り付くボディカバー１０３の平滑な抑え面１０５に当接しているが、本実施形態は、当該抑え面１０５をボディカバー１０１の基準面１０７と面一に設定している。
【００２３】
而して、斯様にボディカバー１０１の抑え面１０５をその基準面１０７と面一に設定することで抑え寸法が安定し、また、製作する上で精度が出し易くなるため、摺動子６７の確実なガタ付き防止が可能となる。
一方、図６及び図７は本実施形態に係るスピニングリール１０９に装着したハンドル４５のハンドルつまみを示し、ハンドル４５はハンドル軸４７に取り付くハンドルアーム１１１と、その先端に固着された支軸１１３に回転可能に取り付く樹脂製のハンドルつまみ１１５とで構成されている。
【００２４】
図６及び図７に示すようにハンドルつまみ１１５は、筒状部１１７と、当該筒状部１１７の反ハンドルアーム側にこれと直交する方向に突設された握り部１１９とで、図１のＸ方向からの矢視形状が略イチジク形状に形成されており、筒状部１１７の中心から握り部１１９に亘って形成された貫通孔に支軸１１３が挿通し、当該支軸１１３に軸受を介してハンドルつまみ１１５が回転可能に取り付けられている。
【００２５】
そして、図６及び図７に示すように握り部１１９は、筒状部１１７の基部を通って当該筒状部１１７の中心軸と平行なＡ−Ａ断面形状がａ＜ｂ（ハンドルアーム側よりも反ハンドルアーム側の方が肉厚）且つｆ≦０．７５ｇ（図７中、ｆは反ハンドルアーム側の最大幅、ｇはＡ−Ａ断面形状に於ける握り部１１９の全長）に設定され、図６に示す握り部１１９の最大幅頂点Ｐを通るＢ−Ｂ断面形状は、中央部分が最も幅広なアール形状となっている。
【００２６】
更に、握り部１１９は、その最大幅頂点Ｐを境にハンドルアーム側の寸法ｄと反ハンドルアーム側の寸法ｅがｄ＜ｅの関係にあり、そして、握り部１１９の外形形状全体が滑らかなＲ形状であると共に、ハンドルアーム側の角部１２１のＲ形状（ＲＥ）と反ハンドルアーム側の肩部１２３のＲ形状（ＲＦ）は、２ＲＥ＜ＲＦの関係に設定されている。
【００２７】
このような形状にハンドルつまみ１１５の握り部１１９を設けることで、ハンドルつまみ１１５を握った時に手との間に隙間がなくなり、また、上述の如く２ＲＥ＜ＲＦの関係に設定したことで反ハンドルアーム側が大きく丸みを帯びて成形され、この結果、ハンドルつまみ１１５を握った掌に握り部１１９が沿うように触れて握り易く、ハンドル操作時に手が痛くならず、また、力が入り易く軽く掴んでも抜け難いといった特徴を有している。
【００２８】
本実施形態はこのように構成されているから、ベール５３を釣糸放出位置側へ倒して仕掛けをキャスティングすると、スプール６１に巻回された釣糸がスパイラル状に繰り出され、また、ベール５３を釣糸巻取位置側へ反転させてハンドル４５を巻取り操作すると、その駆動力が駆動歯車４９，ピニオン４３からフライヤ軸３１に伝達されてロータ３９が釣糸巻取り方向に回転すると共に、ハンドル軸４７，連結ギヤ７９を介してアイドルギヤ７３が回転して突起７５が円軌道を描き、これに伴い摺動子６７がオシレート溝７１に沿ってリール本体３７の前後方向に移動し乍ら、スプール軸５９を前後方向へ移動させてスプール６１を同方向へ往復動させる。
【００２９】
そして、この摺動子６７の前後方向への往復動に伴い、そのスプール側端部８１に設けた補強部８３が樹脂カラー６３内に挿脱して摺動子６７の移動に支障を来すことがなく、また、当該補強部８３がその端部とネジ６９との間に大きな肉厚Ｍを確保して当該部位の強度を確保し、併せて摺動子６７の回止め固定部８５とスプール軸５９との接合寸法Ｎを広げて、両者間の取付け強度を向上させる。
【００３０】
更にまた、上述の如き摺動子６７の移動時に、ガイド部９１の突軸８７，８９に装着したボールベアリング９３，９５が、夫々、案内部９９，抑え面１０５に当接して摺動子６７のガタ付きを防止するが、既述したように本実施形態は、ボディカバー１０１の抑え面１０５をその基準面１０７と面一に設定したことで抑え寸法が安定し、また、製作する上で精度が出し易くなるため、摺動子６７の確実なガタ付き防止が図られる。
【００３１】
加えて、本実施形態は、ハンドルつまみ１１５の握り部１１９を図６及び図７で既述した形状としたことで、ハンドルつまみ１１５を握った時に手との間に隙間がなくなり、また、ハンドルつまみ１１５を握った掌に沿うように反ハンドルアーム側が大きく丸みを帯びて成形されているため、握り易く、ハンドル操作時に手が痛くならず、また、力が入り易く軽く掴んでも抜けることがない。
【００３２】
このように本実施形態によれば、摺動子６７に設けた補強部８３がその端部とネジ６９との間に大きな肉厚Ｍを確保して当該部位の強度を確保するので、ネジ６９の締め付けによる摺動子６７の割れや変形が防止できると共に、補強部８３が樹脂カラー６３内に挿脱して摺動子６７の移動に支障を来すことがないため、図２に示すように摺動子６７自身の軸方向の肉厚Ｌを従来の摺動子と同一寸法とすることが可能となって、リール本体３７の大型化の防止を図り乍ら、従来と同様な摺動子６７の前後ストロークを確保することが可能である。
【００３３】
また、既述したように本実施形態は、上述の如き補強部８３を設けたことで、摺動子６７の回止め固定部８５とスプール軸５９との接合寸法Ｎが広がって、両者間の取付け強度を向上させることができる利点を有する。
更にまた、本実施形態によれば、ボディカバー１０１の抑え面１０５をその基準面１０７と面一に設定したことで抑え寸法が安定し、また、製作する上で精度が出し易くなることもあって、摺動子６７の確実なガタ付き防止を図ることができる。
【００３４】
加えて、ハンドルつまみ１１５の握り部１１９を図６及び図７の如き形状としたことで、握り易く、ハンドル操作時に手が痛くならず、また、力が入り易く軽く掴んでも抜けることがない利点を有する。
図８は請求項１及び請求項２の第二実施形態に係るスピニングリールの要部拡大断面図を示し、本実施形態は、既述したネジによる摺動子とスプール軸の取付構造に代え、スプール軸５９−１の非円形後部６５−１に設けた凹凸係合部１２５を摺動子６７−１の回止め固定部８５−１に係合してスプール軸５９−１と摺動子６７−１の一体化を図る従来構造に改良を加え、摺動子６７−１のスプール側端部８１−１に、スプール軸５９−１に沿ってその軸方向へ突出し、当該摺動子６７−１の往復動時に樹脂カラー６３内に挿脱可能な断面筒状の補強部８３−１を設けたもので、図８及び図９に示すように当該補強部８３−１は、スプール軸５９−１と同一の外径寸法とされている。
【００３５】
また、図１０は請求項１及び請求項２の第三実施形態に係るスピニングリールの要部拡大断面図を示し、本実施形態は、スプール軸５９−２の非円形後部６５−２のネジ部を摺動子６７−２の回止め固定部８５−２に螺着してスプール軸５９−２と摺動子６７−２の一体化を図る従来構造に改良を加え、非円形後部６５−２と回止め固定部８５−２との接合寸法を広げるため、摺動子６７−２のスプール側端部８１−２に、スプール軸５９−２に沿ってその軸方向へ突出し、当該摺動子６７−２の往復動時にピニオン４３内に挿脱可能な断面筒状の補強部８３−２を設けたもので、補強部８３−２はスプール軸５９−２と同一の外径寸法とされている。
【００３６】
而して、これらの第二，第三実施形態によっても、従来に比しスプール軸５９−１，５９−２と摺動子６７−１，６７−２との接合寸法を広げることができるため、これらの取付け強度の向上を図り乍ら、摺動子６７−１，６７−２の前後ストロークを確保することが可能となる。
一方、図１１及び図１２はハンドルつまみの変形例を示し、これらのハンドルつまみ１１５−１，１１５−２は、いずれも握り部１１９−１，１１９−２の肉厚をハンドルアーム側よりも反ハンドルアーム側を大きくすると共に、ハンドルアーム側の角部１２１−１，１２１−２のＲ形状（ＲＥ）と反ハンドルアーム側の肩部１２３−１，１２３−２のＲ形状（ＲＦ）を、図６と同様、２ＲＥ＜ＲＦの関係に設定したもので、図１１の握り部１１９−１は、その外形形状がやや鋭角的に成形されている。
【００３７】
而して、これらのハンドルつまみ１１５−１，１１５−２を用いても、反ハンドルアーム側が大きく丸みを帯びて成形されているため握り易く、ハンドル操作時に手が痛くならず、また、力が入り易く軽く掴んでも抜け難いといった利点を有する。
また、図１３乃至図１５は、既述したハンドルつまみ１１５，１１５−１，１１５−２に代えて本実施形態に係るスピニングリールに装着可能な全長Ｓが４０ｍｍ以上の所謂Ｉ型ハンドルつまみを示し、図１３に示すハンドルつまみ１２７は、図１４に示すようにその外形形状をその軸方向に沿って平坦に成形された一つの平面部１２９と、当該平面部１２９を除く円弧状部１３１とで形成して、ハンドルつまみ１２７を握った際に、平面部１２９によって親指の座りをよくしたものである。
【００３８】
そして、図１５のハンドルつまみ１３３は、支持軸１３５を挟んで平行な２つの平面部１３７，１３９を設けることで、親指の座りをよくすると共に、極力掌とハンドルつまみ１３３との間の隙間をなくしたものである。
而して、これらのハンドルつまみ１２７，１３３を用いても、握り易く、ハンドル操作時に手が痛くならず、力が入り易いといった利点を有する。
【００３９】
尚、図２，図８及び図１０に示す各実施形態では、補強部８３，８３−１，８３−１が、夫々、樹脂カラー６３やピニオン４３内に挿脱可能であるが、リール本体の支持部にスプール軸を往復動自在に支持する支持部材としては、既述した樹脂カラー６３やピニオン４３の他、例えばフライヤ軸をリール本体の支持部に回転可能に支持するボールベアリングがあり、スピニングリールの仕様に応じ摺動子を当該ボールベアリング内に挿脱可能としてもよい。
【００４０】
また、樹脂カラー６３の他、リール本体の支持部にスプール軸を支持する支持部材としてメタル軸受を用いた場合にも本発明は適用可能であるし、オシレート機構に代え、トラバース機構を備えたスピニングリールにも本発明は適用可能である。
【００４１】
【発明の効果】
以上述べたように、各請求項に係る発明によれば、スプール軸と摺動子との一体化を図るために摺動子をスプール軸にネジ止めしたスピニングリールにあっては、摺動子に設けた補強部が摺動子のスプール側端部とネジとの間に大きな肉厚を確保して当該部位の強度を確保するため、ネジの締め付けによる摺動子の割れや変形が防止できると共に、補強部が支持部材内に挿脱して摺動子の移動に支障を来すことがないため、リール本体の大型化の防止を図り乍ら、従来と同様な摺動子の前後ストロークを確保することが可能である。
【００４２】
また、斯様に補強部を設けたことで、摺動子の回止め固定部とスプール軸との接合寸法が広がって、両者間の取付け強度を向上させることができる利点を有する。
一方、ネジ止めによらずにスプール軸と摺動子との一体化を図るその他の構造のスピニングリールにあっては、補強部を設けたことで、摺動子の回止め固定部とスプール軸との接合寸法が広がるため、両者間の取付け強度を向上させることができ、また、補強部が支持部材内に挿脱して摺動子の移動に支障を来すことがないため、リール本体の大型化の防止を図り乍ら、従来と同様な摺動子の前後ストロークを確保することが可能である。
【図面の簡単な説明】
【図１】請求項１及び請求項２の第一実施形態に係るスピニングリールの要部切欠き正面図である。
【図２】図１に示すスピニングリールの要部拡大断面図である。
【図３】図２のＩＩＩ−ＩＩＩ線断面図である。
【図４】図１のＩＶ−ＩＶ線断面図である。
【図５】図１のＶ−Ｖ線断面図である。
【図６】ハンドルつまみの正面図である。
【図７】図６のＡ−Ａ線断面図である。
【図８】請求項１及び請求項２の第二実施形態に係るスピニングリールの要部拡大断面図である。
【図９】図８のＩＸ−ＩＸ線断面図である。
【図１０】請求項１及び請求項２の第三実施形態に係るスピニングリールの要部拡大断面図である。
【図１１】ハンドルつまみの変形例の正面図である。
【図１２】ハンドルつまみの変形例の正面図である。
【図１３】ハンドルつまみの変形例の正面図である。
【図１４】図１３のＸＩＶ−ＸＩＶ線断面図である。
【図１５】ハンドルつまみの変形例の断面図である。
【図１６】従来のスピニングリールの要部拡大断面図である。
【符号の説明】
３１  フライヤ軸
３３，３５，６２  軸受
３７  リール本体
３９  ロータ
４３  ピニオン
４５  ハンドル
４７  ハンドル軸
４９  駆動歯車
５９，５９−１，５９−２  スプール軸
６１  スプール
６３  樹脂カラー
６７，６７−１，６７−２  摺動子
７１  オシレート溝
７７  オシレート機構
８３，８３−１，８３−２  補強部
８７，８９  突軸
９３，９５  ボールベアリング
９９  案内部
１０３  ボディカバー
１０５  抑え面
１０９  スピニングリール
【図１】
2004283099.tif 000003
【図２】
2004283099.tif 000004
【図３】
2004283099.tif 000005
【図４】
2004283099.tif 000006
【図５】
2004283099.tif 000007
【図６】
2004283099.tif 000008
【図７】
2004283099.tif 000009
【図８】
2004283099.tif 000010
【図９】
2004283099.tif 000011
【図１０】
2004283099.tif 000012
【図１１】
2004283099.tif 000013
【図１２】
2004283099.tif 000014
【図１３】
2004283099.tif 000015
【図１４】
2004283099.tif 000016
【図１５】
2004283099.tif 000017
【図１６】
2004283099.tif 000018